(57)【要約】【課題】コネクタ端子が収容されるコネクタ端子収容ハウジングにおいて、付勢部における無駄を極力無くす。【解決手段】コネクタ端子３が収容されるコネクタ端子収容ハウジング１において、コネクタ端子を収容するための収容穴５と、収容穴に収容されたコネクタ端子を付勢して収容穴に収容されたコネクタ端子のガタツキを無くすために収容穴に設けられ、基端９以外の部位における厚さが基端における厚さと等しくなっている付勢部７とを有する。【選択図】図２
2014002843.tif 000002
【特許請求の範囲】
【請求項１】
コネクタ端子が収容されるコネクタ端子収容ハウジングにおいて、
前記コネクタ端子を収容するための収容穴と、
前記収容穴に収容されたコネクタ端子を付勢して前記収容穴に収容されたコネクタ端子のガタツキを無くすために前記収容穴に設けられ、基端以外の部位における厚さが前記基端における厚さと等しいかもしくは前記基端における厚さよりも薄くなっている付勢部と、
を有することを特徴とするコネクタ端子収容ハウジング。
【請求項２】
請求項１に記載のコネクタ端子収容ハウジングにおいて、
前記収容穴は、複数設けられており、これらの収容穴は、所定の間隔をあけて所定の方向にならんで配置されており、
前記付勢部は、お互いが隣接している各収容穴の間に存在している所定の厚さの仕切り壁のところに設けられており、
前記付勢部の厚さは、前記仕切り壁の厚さと等しいかもしくは僅かに薄くなっていることを特徴とするコネクタ端子収容ハウジング。
【発明の詳細な説明】
【技術分野】
【０００１】
本発明は、コネクタ端子収容ハウジングに係り、特に、ガタツキが無いようにしてコネクタ端子を収容するものに関する。
【背景技術】
【０００２】
従来、複数本の電線の端部のそれぞれにコネクタ端子を設置し、これらのコネクタ端子同士をお互いに接続することで、各電線同士の導通を確保するものが知られている（たとえば、特許文献１参照）。
【０００３】
また、各コネクタ端子をコネクタ端子収容ハウジングに収容して、上述したような電線同士の接続をする場合がある。
【先行技術文献】
【特許文献】
【０００４】
【特許文献１】特開２００７−８７８１０号公報
【発明の概要】
【発明が解決しようとする課題】
【０００５】
各コネクタ端子をコネクタ端子収容ハウジングに収容して上述したような電線同士の接続をする場合、各コネクタ端子の接点同士の信頼性（確実に導通しているという信頼性）を向上させる必要がある。
【０００６】
この必要性のために、コネクタ端子収容ハウジングに収容されたコネクタ端子を所定の方向に付勢し、各コネクタ端子の動きを抑制している（コネクタ端子収容ハウジングに収容されたコネクタ端子の、コネクタ端子収容ハウジングに対するガタツキを無くしている）。
【０００７】
詳しく説明すると、図４や図５で示すように、コネクタ端子収容ハウジング２０１の各収容穴２０３のそれぞれにコネクタ端子（図４や図５では図示せず）を挿入したときに、付勢部（バネ部）２０５によって、コネクタ端子を所定方向に付勢（図４や図５の右方向に押し付ける）ことで、上記ガタツキを無くしている。
【０００８】
なお、コネクタ端子は、コネクタ端子収容ハウジング２０１に対し、図４や図５の紙面に直交する方向に相対的に移動することで、コネクタ端子収容ハウジング２０１の収容穴２０３への収容や収容穴２０３からの取り出しがなされるようになっている。
【０００９】
付勢部２０５は、収容穴２０３の一方の側（たとえば、お互いが隣接している収容穴２０３を区切っている壁部２０７）に設けられている。図４や図５に示す付勢部２０５は、長方形の１つの角部に面取りを施した五角形の形状になっている。また、付勢部２０５は、図４や図５に示す形状を保ったまま、図４や図５の紙面に直交する方向で所定の長さを備えた立体形状になっている。
【００１０】
そして、収容穴２０３にコネクタ端子を挿入してコネクタ端子収容ハウジング２０１にコネクタ端子を設置したときには、図５に二点鎖線で示すように付勢部２０５が弾性変形するようになっている。この弾性変形の反力で、コネクタ端子を図５の右方向に押し付け、上記ガタツキを無くしている。
【００１１】
ところで、付勢部２０５は、片持ち梁の形態で弾性変形し、収容穴２０３に収容されているコネクタ端子を付勢するのであるが、形状に無駄な部分が存在しているという問題がある。
【００１２】
すなわち、付勢部２０５は、面取りが形成されている形態になっていることで上方の厚さ寸法（図５における付勢部２０５の上方の左右方向の寸法）Ｗ５ａの値に比べて、下方の厚さ寸法Ｗ５ｂの値が大きくなっている。しかし、図５で示すような片持ち梁のような弾性変形をするに際し、下方の厚さ寸法Ｗ５ｂの値が大きくなっていることは、全く無意味であり、下方の厚さ寸法Ｗ５ｂの値が大きくなっていることで、材料の無駄が発生しているのである。
【００１３】
本発明は、上記問題点に鑑みてなされたものであり、コネクタ端子が収容されるコネクタ端子収容ハウジングにおいて、付勢部における無駄を極力無くすことができるコネクタ端子収容ハウジングを提供することを目的とする。
【課題を解決するための手段】
【００１４】
請求項１に記載の発明は、コネクタ端子が収容されるコネクタ端子収容ハウジングにおいて、前記コネクタ端子を収容するための収容穴と、前記収容穴に収容されたコネクタ端子を付勢して前記収容穴に収容されたコネクタ端子のガタツキを無くすために前記収容穴に設けられ、基端以外の部位における厚さが前記基端における厚さと等しいかもしくは前記基端における厚さよりも薄くなっている付勢部とを有するコネクタ端子収容ハウジングである。
【００１５】
請求項２に記載の発明は、請求項１に記載のコネクタ端子収容ハウジングにおいて、前記収容穴は、複数設けられており、これらの収容穴は、所定の間隔をあけて所定の方向にならんで配置されており、前記付勢部は、お互いが隣接している各収容穴の間に存在している所定の厚さの仕切り壁のところに設けられており、前記付勢部の厚さは、前記仕切り壁の厚さと等しいかもしくは僅かに薄くなっているコネクタ端子収容ハウジングである。
【発明の効果】
【００１６】
本発明によれば、コネクタ端子が収容されるコネクタ端子収容ハウジングにおいて、付勢部における無駄を極力無くすことができるコネクタ端子収容ハウジングを提供することができるという効果を奏する。
【図面の簡単な説明】
【００１７】
【図１】本発明の実施形態に係るコネクタ端子収容ハウジングと、このコネクタ端子収容ハウジングに収容されるコネクタ端子との概略構成を示す斜視図である。
【図２】本発明の実施形態に係るコネクタ端子収容ハウジングを、縦方向および横方向に展開する平面（前後方向に直交する平面）で切断した断面図である。
【図３】図２におけるＩＩＩ部の拡大図である。
【図４】従来のコネクタ端子収容ハウジングの断面図であって図２に対応した図である。
【図５】図４におけるＶ部の拡大図である。
【発明を実施するための形態】
【００１８】
本発明の実施形態に係るコネクタ端子収容ハウジング１は、図１で示すように、たとえば、金属で構成されたコネクタ端子３が挿入されて収容されるものであり、絶縁性の合成樹脂で構成されている。
【００１９】
また、コネクタ端子収容ハウジング１は、図２で示すように、収容穴（コネクタ端子収容穴）５と付勢部（バネ部）７とを備えて構成されている。
【００２０】
収容穴５は、コネクタ端子３を収容するためのものであり、たとえば、四角柱状に形成されている。
【００２１】
付勢部７は、収容穴５に設けられている。また、付勢部７は、収容穴５に収容されたコネクタ端子３を所定の方向に付勢して、収容穴５に収容されたコネクタ端子３のガタツキ（コネクタ端子収容ハウジング１に対するガタツキ）を無くしている。
【００２２】
また、付勢部７は、図３で示すように、基端９以外の部位（基端以外の任意の部位）における厚さ（肉厚）Ｗ１が基端９における厚さＷ２と等しくなっている。なお、厚さＷ１が、厚さＷ２よりも薄くなっていてもよい。
【００２３】
コネクタ端子３は、たとえば平板状の金属の素材を所定形状に成形し、この所定形状に成形された素材に曲げ加工を施すことで製造されている。
【００２４】
ここで、説明の便宜のために、コネクタ端子３やコネクタ端子収容ハウジング１の収容穴５の長手方向を前後方向とし、前後方向に対して直交する一方向を横方向とし、前後方向と横方向とに対して直交する方向を縦方向とする。
【００２５】
図１で示すように、コネクタ端子３の外形形状は、概ね四角柱状になっている。コネクタ端子３の前後方向の前側にコネクタ端子収容ハウジング（コネクタ端子３から離れ所定の適切な位置で所定の適切な姿勢を保っているコネクタ端子収容ハウジング）１が存在している状態から、コネクタ端子３を前方向に移動することで、コネクタ端子３がコネクタ端子収容ハウジング１の収容穴５に挿入されて収容され、コネクタ端子収容ハウジング１に一体的に設置されるようになっている。
【００２６】
コネクタ端子３は、本体部１１とオス接点部（オス端子部）１３とメス接点部（メス端子部）１５とスリット（サイドスリット）１７とを備えて構成されている。
【００２７】
本体部１１は、矩形な筒状に形成されている。矩形な筒状の本体部１１は、矩形な平板状に形成されている４つの側壁部（第１の側壁部１９Ａ、第２の側壁部１９Ｂ、第３の側壁部１９Ｃ、第４の側壁部１９Ｄ）を備えて構成されている。また、本体部１１の前端は、コネクタ端子３の剛性を高めるために前壁部２０で塞がれている。
【００２８】
第１の側壁部１９Ａは、本体部１１における横方向の一方の側に位置している。第２の側壁部１９Ｂは、第１の側壁部１９Ａと対向しており、本体部１１における横方向の他方の側に位置している。第３の側壁部１９Ｃは、本体部１１における縦方向の一方の側に位置している。第４の側壁部１９Ｄは、第３の側壁部１９Ｃと対向しており、本体部１１における縦方向の他方の側に位置している。
【００２９】
オス接点部１３は、本体部１１の第１の側壁部１９Ａから横方向の一方の側に突出している。オス接点部１３は、たとえば平板状に形成されており、厚さ方向が縦方向になっており、縦方向では、本体部１１の中間部に位置しており、前後方向でも、本体部１１の中間に位置している。また、オス接点部１３の前後方向の寸法は、本体部１１の前後方向の寸法よりも小さくなっている。
【００３０】
メス接点部１５は、本体部１１の内部に設けられている。メス接点部１５は、当接部２１と図示しないバネ部（図示せず）とを備えて構成されている。当接部２１は、本体部１１における第３の側壁部１９Ｃから内側に突出して形成されている。バネ部は、本体部１１における第４の側壁部１９Ｄから内側に突出して形成されている。そして、当接部２１は、縦方向の一方の側に位置しており、バネ部は、縦方向の他方の側に位置している。
【００３１】
スリット１７は、本体部１１の第２の側壁部１９Ｂに設けられている。スリット１７は、縦方向では、本体部１１の中間部に位置しており、前後方向では、本体部１１（第２の側壁部１９Ｂ）を貫通している。スリット１７が形成されていることで、第２の側壁部１９Ｂが２つの部位に分割されている。
【００３２】
さらに説明すると、スリット１７が設けられていることで、本体部１１は、厳密には筒状とは言えないが、この明細書では、説明の便宜上、筒状であるものとする。また、スリット１７の幅の値（縦方向の寸法）は、前後方向の両端部からこれらの近傍にかけての部位ではテーパ状になって大きくなっている。また、前後方向の中間部におけるスリット１７の幅の値は、オス接点部１３の厚さの値（縦方向の寸法）よりも大きくなっており、縦方向では、スリット１７はオス接点部１３と同じところに位置している（縦方向では、縦方向におけるスリットの中心の位置と縦方向におけるオス接点部の中心に位置とがお互いに一致している）。
【００３３】
また、コネクタ端子３には、電線接続部２３が設けられている。電線接続部２３は、本体部１１の後側で本体部１１から後側に突出している。
【００３４】
電線接続部２３は、被覆が除去されて剥き出しになった導線（電線の導線）を保持する導線保持部２５と、電線の被覆の部分を保持する被覆保持部３７とを備えて構成されている。導線保持部２５と被覆保持部２７とは、これらがカシメられることで、図示しない電線を保持するようになっている（電線の端部に一体的に設置されるようになっている）。
【００３５】
コネクタ端子収容ハウジング１の収容穴５には、図２、図３で示すように、付勢部形成部２９が形成されている。付勢部形成部２９は、収容穴５内の面（内面）の一部に設けられた凹部もしくは貫通孔（四角柱状に形成されている収容穴５の体積を広げる形態の凹部もしくは貫通孔）で形成されている。なお、付勢部形成部２９は、すでに理解されるように、収容穴５につながっている。付勢部７は、付勢部形成部２９の面の一部から突出している（縦方向の一端側の面から縦方向の他端側突出している；図２や図３では、上から斜め右下に向かって突出している）。
【００３６】
したがって、付勢部７は、この基端９以外の部位は、付勢部形成部２９の面から離れている。そして、次に説明する弾性変形をするようになっている。
【００３７】
コネクタ端子３が収容穴５に収容されていない状態では、図２や図３で示すように、付勢部７の基端側の部位（基端部位）３１が付勢部形成部２９内に存在している。一方、付勢部７の先端部側の部位（先端部位；基端部位以外の部位）３３は、付勢部形成部２９から収容穴５内に突出している。
【００３８】
コネクタ端子３を収容穴５に収容したときには、図３に二点鎖線で示すように、付勢部７が付勢部形成部２９側（図３では左側）に弾性変形し、この弾性変形の反力でコネクタ端子３を、付勢部形成部２９（付勢部７）とは反対側（図２や図３の右側）に付勢するようになっている。
【００３９】
なお、図２や図３では、コネクタ端子３の表示を省略している。また、付勢部７の厚さとは、前述した付勢部７の弾性変形の方向と概ね一致する方向（横方向に対してわずかに斜めになっている方向）における付勢部７の寸法（図３のＷ１，Ｗ３参照）である。
【００４０】
図１や図２で示すように、コネクタ端子収容ハウジング１には、複数の収容穴５が設けられている。これらの収容穴５は、所定の間隔をあけて所定の方向（横方向）にならんで配置されている。
【００４１】
付勢部形成部２９と付勢部７とは、たとえば、お互いが隣接している各収容穴５の間に存在している所定の厚さの仕切り壁３５にところに設けられている。付勢部７の厚さＷ１，Ｗ２は、仕切り壁３５の厚さＬ３と等しいかもしくは僅かに薄くなっている。なお、付勢部７の厚さが基端９から先端に向かうにしたがって（図２や図３の上から下に向かうにしたがって）次第に薄くなっていてもよい。この場合、基端９での付勢部７の厚さは、仕切り壁３５の厚さＬ３と等しいかもしくは僅かに薄くなっているものとする。
【００４２】
複数の収容穴５が設けられていることで、１つのコネクタ端子収容ハウジング１には、複数のコネクタ端子３が、横方向に並べられて同時に設置されるようになっている。これらの設置された各コネクタ端子３は、お互いが係合し合って（お互いが接触して）導通している。さらには、横方向に並んでコネクタ端子収容ハウジング１に設置された各コネクタ端子３は、お互いに隣接しているもの同士が接触して導通している。
【００４３】
さらに説明すると、１つのコネクタ端子収容ハウジング１に複数のコネクタ端子３を横方向に並べて同時に設置したときに、お互いが隣接しているコネクタ端子３において、一方のコネクタ端子３のオス接点部１３が他方のコネクタ端子３のメス接点部１５に係合し、お互いが隣接しているコネクタ端子３同士が導通するようになっている。
【００４４】
つまり、一方のコネクタ端子３のオス接点部１３が、他方のコネクタ端子３のメス接点部１５の当接部２１とバネ部とでバネ部による付勢力をもって挟まれることで、一方のコネクタ端子３のオス接点部１３が他方のコネクタ端子３のメス接点部１５に確実に係合するようになっている。
【００４５】
なお、１つのコネクタ端子収容ハウジング１に複数のコネクタ端子３を横方向に並べて同時に設置したときに、横方向の一端に存在している１つのコネクタ端子３のオス接点部１３は、隣にコネクタ端子３が存在していないので、メス接点部１５に係合していない。
【００４６】
１つのコネクタ端子収容ハウジング１に複数のコネクタ端子３を横方向に並べて同時に設置したときに、横方向の他端に存在している１つのコネクタ端子３のメス接点部１５部は、隣にコネクタ端子３が存在していないので、オス接点部１３に係合していない。
【００４７】
また、１つのコネクタ端子収容ハウジング１に複数のコネクタ端子３を横方向に並べて同時に設置すると、コネクタ端子３のオス接点部１３は、仕切り壁３５に設けられている貫通孔（図示せず）を通り、隣の収容穴５に設置されたコネクタ端子３のメス接点部１５に係合するようになっている。
【００４８】
コネクタ端子収容ハウジング１によれば、付勢部７の厚さＷ１，Ｗ２が、ほぼ一定になっているので、付勢部７における材料の無駄がほぼ無くなっている。
【００４９】
また、付勢部７の厚さＷ１，Ｗ２が、ほぼ一定になっているので、片持ち梁として、収容穴５に収容されたコネクタ端子３を付勢するときに発生する応力が、付勢部７の基端側に集中的に発生することを回避することができる。
【００５０】
また、コネクタ端子収容ハウジング１によれば、付勢部７の厚さＷ１，Ｗ２が仕切り壁３５の厚さＬ３と等しいかもしくは僅かに薄い一定の厚さになっているので、収容穴５のピッチ（図２の横方向におけるピッチ）を小さくすることができ、コネクタ端子収容ハウジング１を小型化することができる。
【００５１】
すなわち、従来のように（図５参照）付勢部２０５が五角形状に形成されているとすると、壁部２０７の寸法Ｌ５を大きくする必要がある。つまり、壁部２０７の寸法Ｌ５を大きくし、付勢部２０５が二点鎖線で示しように弾性変形したときに、付勢部２０５の背面部（収容穴２０３に収容されているコネクタ端子に接触している側とは反対側の部位）が、図５の左側の収容穴２０３Ａ内に突出することを防止する必要がある。
【００５２】
これに対して、コネクタ端子収容ハウジング１では、付勢部７の厚さＷ１，Ｗ２が仕切り壁３５の厚さＬ３と等しいかもしくは僅かに薄い一定の厚さになっているので、仕切り壁３５の厚さＬ３を薄くしても（収容穴５のピッチを小さくしても）、図３で示すように、付勢部７の背面部が、図３の左側の収容穴５Ａ内に突出することを防止することができる。そして、背面部とコネクタ端子３との干渉を防止することができ、コネクタ端子収容ハウジング１を小型化することができる。
【００５３】
また、コネクタ端子収容ハウジング１によれば、各収容穴５のそれぞれに収容されたコネクタ端子３のガタツキ（コネクタ端子収容ハウジング１に対するガタツキ）が無くなるので、各コネクタ端子３の接点同士の信頼性が高くなる。
【符号の説明】
【００５４】
１  コネクタ端子収容ハウジング
３  コネクタ端子
５  収容穴
７  付勢部
９  基端（付勢部の基端）
３５  仕切り壁
【図１】
2014002843.tif 000003
【図２】
2014002843.tif 000004
【図３】
2014002843.tif 000005
【図４】
2014002843.tif 000006
【図５】
2014002843.tif 000007